(57)【要約】【課題】反転処理能力を更に向上させるようにした表裏反転装置を提供する。【解決手段】本発明の表裏反転装置１は、共通通路Ｓの一端を第１の搬送通路６の出口側に連通させ、共通通路Ｓの他端を第２の搬送通路７の出口側に連通させ、共通通路Ｓの一端を合流通路８に連通させる通路構成に基づいたものである。このような通路構成は、共通通路Ｓの直後に合流通路８を設けているので、紙幣Ｒを次の処理工程に送り込むタイミングの遅延をもたらすことがない。その結果として、反転処理能力の向上が図られることになる。さらに、第１の反転ローラ２１は、第１の電磁クラッチ２３のオン・オフに基づいた回転をし、同様に、第２の反転ローラ２２も第２の電磁クラッチ２７のオン・オフに基づいた回転をする。また、第２の搬送通路７から共通通路Ｓ内に非反転予定の紙幣Ｒを繰り入れる際においても、紙幣Ｒを反転ローラ２１，２２で挟持しながら送ることができ、共通通路Ｓ内で、紙幣Ｒを高速でかつ確実に搬送させることができる。【選択図】　図１
2004083262.tif 000002
【特許請求の範囲】
【請求項１】
搬送経路上を搬送する紙葉類の表裏を反転させるための表裏反転装置において、
第１の入口側から送り込まれた反転予定の前記紙葉類を搬送させる第１の搬送通路と、
第２の入口側から送り込まれた非反転予定の前記紙葉類を搬送させる第２の搬送通路と、
一端側を前記第１の搬送通路の出口側に連通させ、他端側を前記第２の搬送通路の出口側に連通させた共通通路と、
前記共通通路の前記一端側に連通する合流通路と、
前記共通通路内に臨むと共に、協働して前記紙葉類を挟み込む第１及び第２の反転ローラと、
前記第１の反転ローラを支持する第１の回転軸を一方向に回転させる第１の回転手段と、
前記第２の反転ローラを支持する第２の回転軸を前記第１の回転軸と同一方向に回転させる第２の回転手段と、
前記第１の回転軸と前記第１の回転手段とを連結する第１の電磁クラッチと、前記第２の回転軸と前記第２の回転手段とを連結する第２の電磁クラッチとを備え、
前記第１の搬送通路から前記共通通路内に前記紙葉類を繰り入れる際に、前記第１の電磁クラッチはオンされて前記第２の電磁クラッチはオフされ、前記共通通路から前記合流通路内に前記紙葉類を繰り出す際に、前記第１の電磁クラッチはオフされて前記第２の電磁クラッチはオンされ、前記第２の搬送通路から前記共通通路内に前記紙葉類を繰り入れる際に、前記第１の電磁クラッチはオフされて前記第２の電磁クラッチはオンされることを特徴とする表裏反転装置。
【請求項２】
搬送経路上を搬送する紙葉類の表裏を反転させるための表裏反転装置において、
反転予定の前記紙葉類と非反転予定の前記紙葉類との双方を受け入れて搬送させる第１の搬送通路と、
前記反転予定の前記紙葉類が反転された後に搬送される第２の搬送通路と、
前記非反転予定の前記紙葉類が反転されることなく搬送される第３の搬送通路と、
一端側を前記第１の搬送通路の出口側に連通させ、前記一端側を前記第２の搬送通路の入口側に連通させ、他端側を前記第３の搬送通路の出口側に連通させた共通通路と、
前記共通通路内に臨むと共に、協働して前記紙葉類を挟み込む第１及び第２の反転ローラと、
前記第１の反転ローラを支持する第１の回転軸を一方向に回転させる第１の回転手段と、
前記第２の反転ローラを支持する第２の回転軸を前記第１の回転軸と同一方向に回転させる第２の回転手段と、
前記第１の回転軸と前記第１の回転手段とを連結する第１の電磁クラッチと、前記第２の回転軸と前記第２の回転手段とを連結する第２の電磁クラッチとを備え、
前記第１の搬送通路から前記共通通路内に前記紙葉類を繰り入れる際に、前記第１の電磁クラッチはオンされて前記第２の電磁クラッチはオフされ、前記紙葉類が非反転予定のものであったときには、前記共通通路から前記第３の搬送通路内に前記非反転予定のものを繰り出すべく、前記第１の電磁クラッチはオン状態を維持し、前記第２の電磁クラッチはオフ状態を維持し、前記紙葉類が反転予定のものであったときには、前記共通通路から前記第２の搬送通路内に前記反転予定のものを繰り出すべく、前記第１の電磁クラッチはオフされて前記第２の電磁クラッチはオンされることを特徴とする表裏反転装置。
【請求項３】
前記第１及び第２の回転手段を第１及び第２のプーリとして構成し、一方向に回転するモータの駆動軸と前記第１のプーリとを第１のベルトを介して連結し、前記モータの前記駆動軸と前記第２のプーリとを第２のベルトを介して連結したことを特徴とする請求項１又は２記載の表裏反転装置。
【発明の詳細な説明】
【０００１】
【発明の属する技術分野】
本発明は、紙葉類（紙幣、有価証券又はカード等）の表面と裏面とを反転させるために利用する表裏反転装置に関するものである。
【０００２】
【従来の技術】
従来、このような分野の技術として、特開平９−３０７０６号公報がある。この公報に記載された表裏反転装置は、表裏鑑別がなされた紙葉類が搬送されてくる共通搬送路と、この共通搬送路を搬送された紙葉類が送り込まれる反転プール部と、この反転プール部の終点に開閉自在に設けられるストッパと、共通搬送路と反転プール部との分岐点から延在する反転搬送路とを備え、非反転紙葉類の搬送時には、前述の反転プール部を非反転搬送路の一部として使用するものである。
【０００３】
【発明が解決しようとする課題】
しかしながら、前述した従来の表裏反転装置における反転プール部は、一つの入口に対して出口を二つ備える搬送経路が採用されている。従って、反転プール部から排出した直後の紙葉類は、反転状態の紙葉類が通る搬送路と、非反転状態の紙葉類が通る搬送路との二つに分かれるため、反転させた紙葉類の搬送路と非反転紙葉類の搬送路とを合流させた上で、紙葉類を次の処理工程に送り込む必要がある。よって、反転プール部から延びる非反転紙葉類の搬送路を合流部分まで延長させる必要があり、その結果として、反転プール部から排出させた非反転紙葉類を次処理工程に送り込むタイミングが遅くなり、反転処理能力の向上を妨げるおそれがあるといった問題点がある。また、このような通路構成において、反転プール部の終点に開閉自在なストッパを設けることは、紙葉類の反転処理速度の向上を妨げる要因にもなっている。
【０００４】
本発明は、上述の課題を解決するためになされたもので、特に、反転処理能力を更に向上させるようにした表裏反転装置を提供することを目的とする。
【０００５】
【課題を解決するための手段】
本発明に係る表裏反転装置は、搬送経路上を搬送する紙葉類の表裏を反転させるための表裏反転装置において、第１の入口側から送り込まれた反転予定の紙葉類を搬送させる第１の搬送通路と、第２の入口側から送り込まれた非反転予定の紙葉類を搬送させる第２の搬送通路と、一端側を第１の搬送通路の出口側に連通させ、他端側を第２の搬送通路の出口側に連通させた共通通路と、共通通路の一端側に連通する合流通路と、共通通路内に臨むと共に、協働して紙葉類を挟み込む第１及び第２の反転ローラと、第１の反転ローラを支持する第１の回転軸を一方向に回転させる第１の回転手段と、第２の反転ローラを支持する第２の回転軸を第１の回転軸と同一方向に回転させる第２の回転手段と、第１の回転軸と第１の回転手段とを連結する第１の電磁クラッチと、第２の回転軸と第２の回転手段とを連結する第２の電磁クラッチとを備え、第１の搬送通路から共通通路内に紙葉類を繰り入れる際に、第１の電磁クラッチはオンされて第２の電磁クラッチはオフされ、共通通路から合流通路内に紙葉類を繰り出す際に、第１の電磁クラッチはオフされて第２の電磁クラッチはオンされ、第２の搬送通路から共通通路内に紙葉類を繰り入れる際に、第１の電磁クラッチはオフされて第２の電磁クラッチはオンされることを特徴とする。
【０００６】
この表裏反転装置においては、反転予定の紙葉類と非反転予定の紙葉類とが通る共通通路を有し、この共通通路は、二つの入口と一つの出口を備えている。すなわち、本発明の表裏反転装置は、共通通路の一端を第１の搬送通路の出口側に連通させ、共通通路の他端を第２の搬送通路の出口側に連通させ、共通通路の一端を合流通路に連通させる通路構成に基づいたものである。このような通路構成は、共通通路の直後に合流通路を設けているので、紙葉類を次の処理工程に送り込むタイミングの遅延をもたらすことがない。その結果として、反転処理能力の向上が図られることになる。さらに、第１の反転ローラは、第１の電磁クラッチのオン・オフに基づいた回転をし、同様に、第２の反転ローラも第２の電磁クラッチのオン・オフに基づいた回転をする。このように、反転ローラ毎に電磁クラッチを設けることで、反転時における紙葉類の反転制御が容易に達成されることは言うに及ばず、第２の搬送通路から共通通路内に非反転予定の紙葉類を繰り入れる際においても、紙葉類を反転ローラで挟持しながら送ることができ、共通通路内で、紙葉類を高速でかつ確実に搬送させることができ、紙葉類の高速処理が達成される。
【０００７】
本発明に係る表裏反転装置は、搬送経路上を搬送する紙葉類の表裏を反転させるための表裏反転装置において、反転予定の紙葉類と非反転予定の紙葉類との双方を受け入れて搬送させる第１の搬送通路と、反転予定の紙葉類が反転された後に搬送される第２の搬送通路と、非反転予定の紙葉類が反転されることなく搬送される第３の搬送通路と、一端側を第１の搬送通路の出口側に連通させ、一端側を第２の搬送通路の入口側に連通させ、他端側を第３の搬送通路の出口側に連通させた共通通路と、共通通路内に臨むと共に、協働して紙葉類を挟み込む第１及び第２の反転ローラと、第１の反転ローラを支持する第１の回転軸を一方向に回転させる第１の回転手段と、第２の反転ローラを支持する第２の回転軸を第１の回転軸と同一方向に回転させる第２の回転手段と、第１の回転軸と第１の回転手段とを連結する第１の電磁クラッチと、第２の回転軸と第２の回転手段とを連結する第２の電磁クラッチとを備え、第１の搬送通路から共通通路内に紙葉類を繰り入れる際に、第１の電磁クラッチはオンされて第２の電磁クラッチはオフされ、紙葉類が非反転予定のものであったときには、共通通路から第３の搬送通路内に非反転予定のものを繰り出すべく、第１の電磁クラッチはオン状態を維持し、第２の電磁クラッチはオフ状態を維持し、紙葉類が反転予定のものであったときには、共通通路から第２の搬送通路内に反転予定のものを繰り出すべく、第１の電磁クラッチはオフされて第２の電磁クラッチはオンされることを特徴とする。
【０００８】
この表裏反転装置においては、反転予定の紙葉類と非反転予定の紙葉類とが通る第１の搬送通路及び共通通路を有し、この共通通路は、一つの入口と二つの出口を備えている。すなわち、本発明の表裏反転装置は、共通通路の一端側を第１の搬送通路の出口側と第２の搬送通路の入口側に連通させ、共通通路の他端側を第３の搬送通路の出口側に連通させる通路構成に基づいたものである。このような通路構成は、共通通路の直前に反転予定の紙葉類と非反転予定の紙葉類との双方を受け入れる第１の搬送通路を有するので、反転予定の紙葉類と非反転予定の紙葉類とを混在させた状態で共通通路まで搬送することができ、搬送経路の簡素化を図っている。さらに、第１の反転ローラは、第１の電磁クラッチのオン・オフに基づいた回転をし、同様に、第２の反転ローラも第２の電磁クラッチのオン・オフに基づいた回転をする。このように、反転ローラ毎に電磁クラッチを設けることで、反転時における紙葉類の反転制御が容易に達成されることは言うに及ばず、共通通路から第３の搬送通路内に非反転予定の紙葉類を送り出す際において、反転ローラは、電磁クラッチを介して連続回転を維持し続けるので、紙葉類の高速反転処理が可能となる。
【０００９】
また、第１及び第２の回転手段を第１及び第２のプーリとして構成し、一方向に回転するモータの駆動軸と第１のプーリとを第１のベルトを介して連結し、モータの駆動軸と第２のプーリとを第２のベルトを介して連結すると好適である。このような構成を採用することで、一個のモータで各プーリを同一方向に常時駆動回転させることができる。しかも、極めて簡単な構成をもって各反転ローラの駆動を実現するものである。
【００１０】
【発明の実施の形態】
以下、図面を参照しつつ本発明に係る表裏反転装置の好適な実施形態について詳細に説明する。
【００１１】
［第１の実施形態］
図１に示すように、紙幣Ｒの表裏反転装置１は、２枚の側板１ａ，１ｂ間において、紙葉類（例えば、紙幣、有価証券又はカード類）の一例である紙幣Ｒが所定の速度で流動する搬送経路を有している。互いに平行な側板１ａ，１ｂ間には、上下方向に延在してガイド通路として利用される共通通路Ｓが設けられている。この共通通路Ｓは、所定の間隔をもって離間させるように配置されて、２枚の側板１ａ，１ｂとで両側を挟み込み固定された第１のガイド板３と第２のガイド板４とで形成されている。
【００１２】
そして、この共通通路（ガイド通路）Ｓの上下端は開放され、共通通路Ｓの下端には、反転予定の紙幣Ｒを搬送させるために下側で延在する第１の搬送通路６の出口６ｂ側が連結され、共通通路Ｓの上端には、非反転予定の紙幣Ｒを搬送させるために上側で延在する第２の搬送通路７の出口７ｂ側が連結されている。さらに、共通通路Ｓの下端には、第１の搬送通路６の延長上に位置する合流通路８の入口８ａ側が連結されている。
【００１３】
この第１の搬送通路６と合流通路８は、共通通路Ｓの下方で水平方向に延在してモータＭの駆動力によって回転する下側無端ベルト９と、複数の案内ローラ１０との協働によって形成される。そして、共通通路Ｓの下部には繰り出し／繰り入れ手段１１が配置されている。この繰り出し／繰り入れ手段１１は、共通通路Ｓの下端側に位置して、紙幣Ｒの全体を第１の搬送通路６から共通通路Ｓ内に排出させると共に、共通通路Ｓ内の紙幣Ｒを合流通路８内に導き入れるよう動作する。
【００１４】
例えば、この繰り出し／繰り入れ手段１１は、第１のガイド板３と第２のガイド板４との間に位置すると共に、下側無端ベルト９が架け渡されて一方向に回動する送りローラ１２と、この送りローラ１２の紙葉類搬入側で下側無端ベルト９を介して送りローラ１２に押し当てられた繰り出しローラ１３と、この送りローラ１２の紙葉類搬出側で下側無端ベルト９を介して送りローラ１２に押し当てられた繰り入れローラ１４と構成されている。そして、繰り出しローラ１３は、送りローラ１２を介して第１の搬送通路６の一部を構成し、繰り入れローラ１４は、送りローラ１２を介して合流通路８の一部を構成する。
【００１５】
よって、第１の搬送通路６の入口６ａから矢印Ａ方向に送り込まれた反転予定の紙幣Ｒは、送りローラ１２と繰り出しローラ１３との協働により、その全体が第１の搬送通路６から共通通路Ｓ内に排出される。その後、共通通路Ｓ内に繰り出された紙幣Ｒは、送りローラ１２と繰り入れローラ１４との協働により、合流通路８に送り込まれ、出口８ｂから矢印Ｃ方向に排出させることで一連の反転動作が完了する。
【００１６】
これに対し、非反転予定の紙幣Ｒを搬送させるための第２の搬送通路７は、共通通路Ｓの上方で水平方向に延在してモータＭの駆動力によって回転する上側無端ベルト１６と案内ローラ１７との協働によって形成される。そして、第２の搬送通路７の入口７ａから矢印Ｂ方向に送り込まれた非反転予定の紙幣Ｒは、上側無端ベルト１６と案内ローラ１７との協働により、その全体が第２の搬送通路７から共通通路Ｓ内に排出される。その後、共通通路Ｓ内に送り込まれた紙幣Ｒの前端は、送りローラ１２の回動に伴って連れ回され、送りローラ１２と繰り入れローラ１４との協働により、紙幣Ｒは合流通路８に送り込まれ、出口８ｂから矢印Ｃ方向に排出されることで一連の非反転動作が完了する。
【００１７】
このように、表裏反転装置１は、反転予定の紙幣Ｒと非反転予定の紙幣Ｒとが通過する共通通路Ｓを有し、この共通通路Ｓは、二つの入口（第１及び第２の搬送通路６，７の出口）６ｂ，７ｂと一つの出口（合流通路８の入口）８ａを備えている。すなわち、共通通路Ｓの下端を第１の搬送通路６の出口６ｂ側に連通させ、共通通路Ｓの上端を第２の搬送通路７の出口７ｂ側に連通させ、共通通路Ｓの下端を合流通路８に連通させる。このように、共通通路Ｓの直後に合流通路８を設けることで、紙幣Ｒを次の処理工程に送り込むタイミングの遅延をもたらすことなく、その結果として、反転処理能力の向上が図られることになる。
【００１８】
さらに、この装置１には、共通通路（ガイド通路）Ｓ内における紙幣Ｒの高速搬送を可能にするための反転手段Ｐが設けられている。この反転手段Ｐは、第１のガイド板３側に配置した第１の反転ローラ２１と、第２のガイド板４側に配置した第２の反転ローラ２２とを有している。この第１の反転ローラ２１は、第１のガイド板３に形成したローラ窓３ａから共通通路Ｓ内に覗き出るようにして共通通路Ｓ内に臨む。同様に、第２の反転ローラ２２は、第１の反転ローラ２１に対向すると共に、第２のガイド板４に形成したローラ窓４ａから共通通路Ｓ内に覗き出るようにして共通通路Ｓ内に臨む。そして、紙幣Ｒを確実に挟み込んで搬送させるために、第１の反転ローラ２１と第２の反転ローラ２２とは、共通通路Ｓ内で互いに所定の圧力をもって押し付けられている。
【００１９】
図２〜図４に示すように、第１の反転ローラ２１は、側板１ａと側板１ｂとに軸受を介して軸支した第１の回転軸２１ａに固定され、この第１の回転軸２１ａは水平に延在する。さらに、第１の回転軸２１ａの端部には、側板１ｂの外方に位置する第１の電磁クラッチ２３が取付けられ、この第１の電磁クラッチ２３は、装置１の制御部（図示せず）からの制御信号によってオン・オフ制御がなされる。なお、第１の電磁クラッチ２３は、連れ回りを防止するために、側板１ｂに立設させた係止ピン２４に対して掛け止めされる回り止め用のフック部２６を有している。
【００２０】
同様に、第２の反転ローラ２２は、側板１ａと側板１ｂとに軸受を介して軸支した第２の回転軸２２ａに固定され、この第２の回転軸２２ａは、第１の回転軸２１ａに対して平行で且つ水平に延在する。さらに、第２の回転軸２２ａの端部には、側板１ｂの外方に位置する第２の電磁クラッチ２７が取付けられ、この第２の電磁クラッチ２７は、装置１の制御部（図示せず）からの制御信号によってオン・オフ制御がなされる。なお、第２の電磁クラッチ２７は、連れ回りを防止するために、側板１ｂに立設させた係止ピン２８に対して掛け止めされる回り止め用のフック部２９を有している。
【００２１】
さらに、第１の回転軸２１ａの延長上には、第１の電磁クラッチ２３を介して第１の回転軸２１ａに連結した第１のプーリ（第１の回転手段）３１が配置されている。そして、この第１のプーリ３１は、第１の電磁クラッチ２３がオン状態のとき、第１の回転軸２１ａを一方向に回転させるための駆動力伝達手段であり、常に矢印Ｄ方向に回転し続ける。同様に、第２の回転軸２２ａの延長上には、第２の電磁クラッチ２７を介して第２の回転軸２２ａに連結した第２のプーリ（第２の回転手段）３２が配置されている。そして、この第２のプーリ３２は、第２の電磁クラッチ２７がオン状態のとき、第２の回転軸２２ａを第１の回転軸２１ａと同一方向に回転させるための駆動力伝達手段であり、常に矢印Ｅ方向に回転し続ける。
【００２２】
そして、図２及び図５に示すように、第１のプーリ３１と第２のプーリ３２とを同一方向に常時回転させるため、第２の側板１ｃに固定した一方向回転型のモータ３０が利用される。このモータ３０の駆動軸３０ａには駆動プーリ３４が固定され、この駆動プーリ３４と第１のプーリ３１とは第１のタイミングベルト３６を介して連結され、駆動プーリ３４と第２のプーリ３２とは第２のタイミングベルト３７を介して連結される。このような構成を採用すると、一個のモータ３０で各プーリ３１，３２を同一方向に常時回転させることができる。しかも、極めて簡単な構成をもって各反転ローラ２１，２２の駆動が実現される。
【００２３】
次に、前述した表裏反転装置１の構成に基づく動作説明をする。
【００２４】
先ず、第１の搬送通路６の入口６ａから矢印Ａ方向に送り込まれた反転予定の紙幣Ｒは、送りローラ１２と繰り出しローラ１３との協働により、第１の搬送通路６から共通通路Ｓ内に排出される。そして、第１の搬送通路６から共通通路Ｓ内に紙幣Ｒを繰り入れる際、第１の電磁クラッチ２３はオン状態に制御され、第２の電磁クラッチ２７はオフ状態に制御される。その結果、第１の回転軸２１ａに取付けられた第１の反転ローラ２１は、矢印Ｆ方向（図１参照）に駆動回転を維持する。一方、第２の反転ローラ２２は、第２の電磁クラッチ２７が切れた状態になっているので、第１の反転ローラ２１に追従して回転する。よって、第１の反転ローラ２１が所定時間回転することで、紙幣Ｒは、所定長さだけ共通通路Ｓ内に導入される。
【００２５】
共通通路Ｓ内への紙幣Ｒの導入後、紙幣Ｒの搬送揃えを達成させるため、第１及び第２の電磁クラッチ２３，２７の両方をオフ状態に制御して、共通通路Ｓ内で紙幣Ｒを所定時間だけ一時停止させる。その後、共通通路Ｓから合流通路８に向けて紙幣Ｒが繰り出される際、第１の電磁クラッチ２３はオフに切り替え制御され、第２の電磁クラッチ２７はオンに切り替え制御される。その結果、第２の回転軸２２ａに取付けられた第２の反転ローラ２２は、矢印Ｇ方向（図１参照）に駆動回転する。一方、第１の反転ローラ２１は、第１の電磁クラッチ２３が切れた状態になっているので、第２の反転ローラ２２に追従して回転する。よって、第２の反転ローラ２２が所定時間回転し、送りローラ１２と繰り入れローラ１４との協働により、紙幣Ｒは、反転状態で合流通路８に送り込まれ、紙幣Ｒを出口８ｂから矢印Ｃ方向に排出させることで一連の反転動作が完了する。
【００２６】
これに対し、第２の搬送通路７の入口７ａから矢印Ｂ方向に送り込まれた非反転予定の紙幣Ｒは、上側無端ベルト１６と案内ローラ１７との協働により、第２の搬送通路７から共通通路Ｓ内に排出される。そして、第２の搬送通路７から共通通路Ｓ内に紙幣Ｒを繰り入れる際、第１の電磁クラッチ２３はオフ状態に制御され、第２の電磁クラッチ２７はオン状態に制御される。その結果、第２の回転軸２２ａに取付けられた第２の反転ローラ２２は、矢印Ｇ方向（図１参照）に駆動回転する。一方、第１の反転ローラ２１は、第１の電磁クラッチ２３が切れた状態になっているので、第２の反転ローラ２２に追従して回転する。
【００２７】
そして、第２の反転ローラ２２が所定時間回転し、送りローラ１２と繰り入れローラ１４との協働により、紙幣Ｒは、非反転状態で合流通路８に送り込まれ、出口８ｂから矢印Ｃ方向に排出される。このように、紙幣Ｒを反転ローラ２１，２２で挟持しながら送ることができるので、共通通路Ｓ内において、紙幣Ｒを高速でかつ確実に搬送させることができ、紙幣Ｒの高速処理が達成される。
【００２８】
なお、紙幣Ｒは、その反転の要否が判別された状態及び紙幣Ｒの幅を検出した状態で、前述した第１の搬送通路６と第２の搬送通路７内に入ってくる。また、符号４０は、第１の搬送通路６内を流動する紙幣Ｒの到来センサであり、符号４１は、第２の搬送通路７内を流動する紙幣Ｒの到来センサである。そして、図示しない幅検知手段の検出結果に基づいて、各到来センサ４０，４１に同期させるような制御信号が、第１の電磁クラッチ２３及び第２の電磁クラッチ２７に供給され、反転ローラ２１，２２の回転方向が適宜制御される。
【００２９】
［第２の実施形態］
次に、図６に示す表裏反転装置５０について説明するが、前述した第１の実施形態と同一又は同等な構成部分には同一の符号を付し、その詳細な説明は省略する。
【００３０】
この表裏反転装置５０は、反転予定の紙幣Ｒと非反転予定の紙幣Ｒとが通る第１の搬送通路５１及び共通通路Ｓを有すると共に、反転予定の紙幣Ｒが反転された後に搬送される第２の搬送通路５２と、非反転予定の紙幣Ｒが反転されることなく搬送される第３の搬送通路５３とを有している。よって、この共通通路Ｓは、一つの入口と二つの出口を備えることになる。
【００３１】
このような共通通路Ｓにおいて、その下端側は、第１の搬送通路５１の出口側と第２の搬送通路５２の入口側に連通され、その上端側は、第３の搬送通路５３の出口側に連通される。このように、共通通路Ｓの直前において、反転予定の紙幣Ｒと非反転予定の紙幣類Ｒとの双方を受け入れる第１の搬送通路５１を有するので、反転予定の紙幣Ｒと非反転予定の紙幣Ｒとを混在させた状態で共通通路まで搬送することができ、搬送経路の簡素化が図られる。なお、非反転後の紙幣Ｒを搬送させるために、第３の搬送経路５３は、共通通路Ｓの上方で水平方向に延在してモータの駆動力によって回転する上側無端ベルト５４と案内ローラ５５との協働によって形成され、紙幣Ｒは矢印Ｈ方向に排出される。
【００３２】
さらに、第１の反転ローラ２１は、第１の電磁クラッチ２３のオン・オフ制御に基づいた回転をし、同様に、第２の反転ローラ２２も第２の電磁クラッチ２７のオン・オフ制御に基づいた回転をする。この制御にあたって、第１の搬送通路５１から共通通路Ｓ内に紙幣Ｒを繰り入れる際、第１の電磁クラッチ２３はオンされて第２の電磁クラッチ２７はオフされる。また、紙幣Ｒが非反転予定のものであったときには、共通通路Ｓから第３の搬送通路５３内に非反転予定のものを繰り出すべく、第１の電磁クラッチ２３はオン状態を維持し、第２の電磁クラッチ２７はオフ状態を維持し続ける。
【００３３】
これに対し、紙幣Ｒが反転予定のものであったときには、共通通路Ｓから第２の搬送通路５２内に反転予定のものを繰り出すべく、第１の電磁クラッチ２３はオフされて第２の電磁クラッチ２７はオンされる。このように、反転ローラ２１，２２毎に電磁クラッチ２３，２７を設けることで、反転時における紙幣Ｒの反転制御が容易に達成されることは言うに及ばず、共通通路Ｓから第３の搬送通路５３内に非反転予定の紙幣を送り出す際において、反転ローラ２１，２２は、電磁クラッチ２３，２７を介して連続回転を維持し続けるので、紙幣Ｒの高速反転処理が可能となる。
【００３４】
【発明の効果】
本発明による表裏反転装置は、以上のように構成されているため、次のような効果を得る。すなわち、搬送経路上を搬送する紙葉類の表裏を反転させるための表裏反転装置において、第１の入口側から送り込まれた反転予定の紙葉類を搬送させる第１の搬送通路と、第２の入口側から送り込まれた非反転予定の紙葉類を搬送させる第２の搬送通路と、一端側を第１の搬送通路の出口側に連通させ、他端側を第２の搬送通路の出口側に連通させた共通通路と、共通通路の一端側に連通する合流通路と、共通通路内に臨むと共に、協働して紙葉類を挟み込む第１及び第２の反転ローラと、第１の反転ローラを支持する第１の回転軸を一方向に回転させる第１の回転手段と、第２の反転ローラを支持する第２の回転軸を第１の回転軸と同一方向に回転させる第２の回転手段と、第１の回転軸と第１の回転手段とを連結する第１の電磁クラッチと、第２の回転軸と第２の回転手段とを連結する第２の電磁クラッチとを備え、第１の搬送通路から共通通路内に紙葉類を繰り入れる際に、第１の電磁クラッチはオンされて第２の電磁クラッチはオフされ、共通通路から合流通路内に紙葉類を繰り出す際に、第１の電磁クラッチはオフされて第２の電磁クラッチはオンされ、第２の搬送通路から共通通路内に紙葉類を繰り入れる際に、第１の電磁クラッチはオフされて第２の電磁クラッチはオンされることにより、反転処理能力を更に向上させることができる。
【００３５】
また、搬送経路上を搬送する紙葉類の表裏を反転させるための表裏反転装置において、反転予定の紙葉類と非反転予定の紙葉類との双方を受け入れて搬送させる第１の搬送通路と、反転予定の紙葉類が反転された後に搬送される第２の搬送通路と、非反転予定の紙葉類が反転されることなく搬送される第３の搬送通路と、一端側を第１の搬送通路の出口側に連通させ、一端側を第２の搬送通路の入口側に連通させ、他端側を第３の搬送通路の出口側に連通させた共通通路と、共通通路内に臨むと共に、協働して紙葉類を挟み込む第１及び第２の反転ローラと、第１の反転ローラを支持する第１の回転軸を一方向に回転させる第１の回転手段と、第２の反転ローラを支持する第２の回転軸を第１の回転軸と同一方向に回転させる第２の回転手段と、第１の回転軸と第１の回転手段とを連結する第１の電磁クラッチと、第２の回転軸と第２の回転手段とを連結する第２の電磁クラッチとを備え、第１の搬送通路から共通通路内に紙葉類を繰り入れる際に、第１の電磁クラッチはオンされて第２の電磁クラッチはオフされ、紙葉類が非反転予定のものであったときには、共通通路から第３の搬送通路内に非反転予定のものを繰り出すべく、第１の電磁クラッチはオン状態を維持し、第２の電磁クラッチはオフ状態を維持し、紙葉類が反転予定のものであったときには、共通通路から第２の搬送通路内に反転予定のものを繰り出すべく、第１の電磁クラッチはオフされて第２の電磁クラッチはオンされることにより、反転処理能力を更に向上させることができる。
【図面の簡単な説明】
【図１】本発明に係る表裏反転装置の第１実施形態を示す断面図である。
【図２】図１に示した表裏反転装置の反転手段を示す斜視図である。
【図３】図１に示した表裏反転装置の正面図である。
【図４】図１に示した表裏反転装置の平面図である。
【図５】第１の電磁クラッチと第２の電磁クラッチとモータとの位置関係を示す側面図である。
【図６】本発明に係る表裏反転装置の第２実施形態を示す断面図である。
【符号の説明】
Ｓ…共通通路（ガイド通路）、Ｒ…紙幣（紙葉類）、１…表裏反転装置、６…第１の搬送通路、６ａ…第１の入口、６ｂ…第１の搬送通路の出口、７…第２の搬送通路、７ａ…第２の入口、７ｂ…第２の搬送通路の出口、８…合流通路、１１…繰り出し／繰り入れ手段、２１…第１の反転ローラ、２１ａ…第１の回転軸、２２…第２の反転ローラ、２２ａ…第２の回転軸、２３…第１の電磁クラッチ、２７…第２の電磁クラッチ、３０…モータ、３０ａ…駆動軸、３１…第１のプーリ（第１の回転手段）、３２…第２のプーリ（第２の回転手段）、３６…第１のタイミングベルト（第１のベルト）、３７…第２のタイミングベルト（第２のベルト）、５１…第１の搬送通路、５２…第２の搬送通路、５３…第３の搬送通路。
【図１】
2004083262.tif 000003
【図２】
2004083262.tif 000004
【図３】
2004083262.tif 000005
【図４】
2004083262.tif 000006
【図５】
2004083262.tif 000007
【図６】
2004083262.tif 000008